(57)【要約】【課題】複数台の室内機に故障が発生している場合の故障コード確認漏れを防止する。【解決手段】ステップ３０１で点検スイッチが所定時間以上押されたことを検出すれば無条件にステップ４０２に進み、ステップ３０１で点検スイッチが所定時間以上押されたことを検出するまではステップ３０２で故障発生中室内機の室内機番号が全て選択されたかを判断して選択されていない室内機番号が残っていない場合のみステップ４０４で点検スイッチが再度押されたかどうかを検出するので、複数台の室内機に故障が発生している場合に通常の操作では一部の室内機の故障コードを確認しただけで確認を終了することができなくなると共に、特別な操作により強制的に確認を終了することができるようになる。【選択図】図３
2010175087.tif 000002
【特許請求の範囲】
【請求項１】
プログラムされたマイコンによって１対の通信線に接続された複数台の空気調和機を遠隔操作する装置であって、接続された室内機の故障コードを表示する故障コード表示手段と、前記故障コード表示手段の表示／非表示を切換える故障コード表示／非表示切換手段と、前記故障コード表示手段が表示対象としている室内機の識別番号を表示する室内機識別番号表示手段と、前記故障コード表示手段が表示対象としている室内機の識別番号を選択する室内機識別番号選択手段とを備え、前記故障コード表示手段に故障コードを表示している状態で前記故障コード表示／非表示切換手段が操作された場合に、操作時間が所定時間未満の場合は、前記室内機識別番号選択手段で表示対象として選択されていない故障発生中室内機が残っていれば前記故障コード表示手段の故障コード表示を非表示に戻さず、操作時間が所定時間以上の場合は、前記室内機識別番号選択手段で表示対象として選択されていない故障発生中室内機が残っていても前記故障コード表示手段の故障コード表示を非表示に戻すようにしたことを特徴とする空気調和機の遠隔操作装置。
【発明の詳細な説明】
【技術分野】
【０００１】
本発明は、プログラムされたマイコンによって複数台の空気調和機を遠隔操作する装置に関するものである。
【背景技術】
【０００２】
従来、この種の空気調和機の遠隔操作装置は、故障発生時に故障コード表示／非表示切換手段が操作されると故障コードを表示し、故障コード表示中に室内機識別番号選択手段が操作されると故障コード表示対象の室内機を切換え、故障コード表示／非表示切換手段が再度操作されると故障コードを非表示に戻していた（例えば、特許文献１参照）。
【０００３】
図４は特許文献１に記載された従来の空気調和機の遠隔操作装置のマイコンが実行するプログラムの故障コード表示フローチャートを示すものである。図４において、ステップ４０１で点検スイッチが押されたことを検出するまでは、ステップ４０２に進んで故障コード非表示を継続し、ステップ４０１で点検スイッチが押されたことを検出すれば、ステップ４０３に進んで故障コードを表示する。
【０００４】
その後、ステップ４０４で点検スイッチが再度押されたことを検出するまでは、ステップ４０５以降のステップを経てステップ４０３に進んで故障コード表示を継続し、ステップ４０４で点検スイッチが再度押されたことを検出すれば、ステップ４０２に進んで故障コードを非表示に戻す。
【０００５】
故障コード表示継続中は、ステップ４０５で室内機番号ＵＰスイッチが押されたことを検出してステップ４０６で現在の室内機番号が最大接続可能台数（例えば１６）より小さい値であると判断できた場合にステップ４０７で室内機番号を１増加させ、ステップ４０８で室内機番号ＤＯＷＮスイッチが押されたことを検出してステップ４０９で現在の室内機番号が最小室内機番号（例えば１）より大きい値であると判断できた場合にステップ４１０で室内機番号を１減少させる。そして、室内機番号変更後にステップ４０３に進むと当該室内機番号の室内機の故障コードに表示が切換わる。
【特許文献１】特開平５−３０４６９４号公報
【発明の開示】
【発明が解決しようとする課題】
【０００６】
しかしながら、前記従来の構成では、複数台の室内機に故障が発生しているにも拘らず、一部の室内機の故障コードを確認しただけで確認を終了し、故障コードの確認漏れを発生させることがあった。
【０００７】
本発明は、前記従来の課題を解決するもので、複数台の室内機に故障が発生している場合の故障コード確認漏れを発生させない空気調和機の遠隔操作装置を提供することを目的とする。
【課題を解決するための手段】
【０００８】
前記従来の課題を解決するために、本発明の空気調和機の遠隔操作装置は、プログラムされたマイコンにより故障コード表示／非表示切換手段の操作時間が所定時間未満の場合は、室内機識別番号選択手段で表示対象として選択されていない故障発生中室内機が残っていれば故障コード表示手段の故障コード表示を非表示に戻さず、故障コード表示／非表示切換手段の操作時間が所定時間以上の場合は、室内機識別番号選択手段で表示対象として選択されていない故障発生中室内機が残っていても前記故障コード表示手段の故障コー
ド表示を非表示に戻すようにしたものである。
【０００９】
これによって、複数台の室内機に故障が発生している場合に通常の操作では一部の室内機の故障コードを確認しただけで確認を終了することができなくなると共に、特別な操作により強制的に確認を終了することができるようになり、確認作業の効率を低下させることなく故障コード確認漏れの発生を防止することとなる。
【発明の効果】
【００１０】
本発明の空気調和機の遠隔操作装置は、複数台の室内機に故障が発生している場合の故障コード確認漏れの発生を防止することができる。
【発明を実施するための最良の形態】
【００１１】
第１の発明は、プログラムされたマイコンによって１対の通信線に接続された複数台の空気調和機を遠隔操作する装置であって、接続された室内機の故障コードを表示する故障コード表示手段と、故障コード表示手段の表示／非表示を切換える故障コード表示／非表示切換手段と、故障コード表示手段が表示対象としている室内機の識別番号を表示する室内機識別番号表示手段と、故障コード表示手段が表示対象としている室内機の識別番号を選択する室内機識別番号選択手段とを備え、故障コード表示手段に故障コードを表示している状態で故障コード表示／非表示切換手段が操作された場合に、操作時間が所定時間未満の場合は、室内機識別番号選択手段で表示対象として選択されていない故障発生中室内機が残っていれば故障コード表示手段の故障コード表示を非表示に戻さず、操作時間が所定時間以上の場合は、室内機識別番号選択手段で表示対象として選択されていない故障発生中室内機が残っていても故障コード表示手段の故障コード表示を非表示に戻すようにする。
【００１２】
これにより、複数台の室内機に故障が発生している場合に通常の操作では一部の室内機の故障コードを確認しただけで確認を終了することができなくなると共に、特別な操作により強制的に確認を終了することができるようになり、確認作業の効率を低下させることなく故障コード確認漏れの発生を確実に防止することができる。
【００１３】
以下、本発明の実施の形態について、図面を参照しながら説明する。なお、本実施の形態によって本発明が限定されるものではない。
【００１４】
（実施の形態１）
図１は、本発明の実施の形態１における空気調和機の遠隔操作装置を含むシステム構成図、図２は、本発明の実施の形態１における空気調和機の遠隔操作装置のハードウェアブロック図、図３は、本発明の実施の形態１における空気調和機の遠隔操作装置のマイコンが実行するプログラムの故障コード表示フローチャートである。
【００１５】
図１において、１はワイヤードリモコン、２Ａ〜２Ｄは室内機、３はワイヤードリモコン１と複数台の室内機２Ａ〜２Ｄを接続する１対の通信線であり、ワイヤードリモコン１は、室内機２Ａ〜２Ｄと双方向に通信を行い、運転操作や故障コード表示を行うものである。
【００１６】
図２において、４はマイコン、５はマイコンが実行するプログラム、６は室内機２Ａ〜２Ｄに発生中の故障コードを表示する故障コード表示、７は故障コード表示６の表示／非表示を切換える点検スイッチ、８は故障コード表示６が表示対象としている室内機の室内機番号を示す室内機番号表示、９は故障コード表示６が表示対象としている室内機の室内機番号を増加させる室内機番号ＵＰスイッチ、１０は故障コード表示６が表示対象としている室内機の室内機番号を減少させる室内機番号ＤＯＷＮスイッチ、１１は通信線３に接
続され室内機２Ａ〜２Ｄと双方向に通信を行うための送受信回路であり、送受信回路１１からの入力により接続されている室内機２Ａ〜２Ｄの室内機番号を認識する。
【００１７】
以下、図３のフローチャートに従い図２に示すプログラム５の動作を説明する。なお、従来と同一のステップについては、同一符号を付してその詳細な説明は省略する。
【００１８】
マイコン４は、ステップ３０１で点検スイッチが所定時間（例えば５秒）以上押されたことを検出すれば、ステップ４０２に進んで故障コードを非表示に戻す。ステップ３０１で点検スイッチが所定時間（例えば５秒）以上押されたことを検出するまでは、ステップ３０２で故障発生中室内機の室内機番号が全て選択されたかを判断し、選択されていない室内機番号が残っていない場合のみステップ４０４で点検スイッチが再度押されたかどうかを検出する。選択されていない室内機番号が残っている場合はステップ４０４をスキップしてステップ４０５に進む。
【００１９】
以上のように、本実施の形態においては、ステップ３０１で点検スイッチが所定時間以上押されたことを検出すれば無条件にステップ４０２に進み、ステップ３０１で点検スイッチが所定時間以上押されたことを検出するまではステップ３０２で故障発生中室内機の室内機番号が全て選択されたかを判断して選択されていない室内機番号が残っていない場合のみステップ４０４で点検スイッチが再度押されたかどうかを検出するので、複数台の室内機に故障が発生している場合に通常の操作では一部の室内機の故障コードを確認しただけで確認を終了することができなくなると共に、特別な操作により強制的に確認を終了することができるようになり、確認作業の効率を低下させることなく故障コード確認漏れの発生を確実に防止することができる。
【００２０】
なお、本実施の形態において故障コード表示６が表示対象としている室内機の室内機番号を室内機番号ＵＰスイッチ９と室内機番号ＤＯＷＮスイッチ１０の２つで選択するとしているが、１つの室内機番号選択スイッチで選択しても良い。また、ステップ３０１における所定時間は一例であり、本発明を限定するものではない。
【産業上の利用可能性】
【００２１】
以上のように、本発明にかかる空気調和機の遠隔操作装置は、複数台の室内機に故障が発生している場合の故障コード確認漏れの発生を防止することが可能となるので、通信線を媒体としてデータ通信を行う空気調和機集中制御システムにおいて空気調和機の集中制御装置の故障コード表示等の用途にも適用できる。
【図面の簡単な説明】
【００２２】
【図１】本発明の実施の形態１における空気調和機の遠隔操作装置を含むシステム構成図
【図２】本発明の実施の形態１における空気調和機の遠隔操作装置のハードウェアブロック図
【図３】本発明の実施の形態１における空気調和機の遠隔操作装置のマイコンが実行するプログラムの故障コード表示フローチャート
【図４】従来の空気調和機の遠隔操作装置のマイコンが実行するプログラムの故障コード表示フローチャート
【符号の説明】
【００２３】
１  ワイヤードリモコン
２Ａ〜２Ｄ  室内機
３  通信線
４  マイコン
５  プログラム
６  故障コード表示
７  点検スイッチ
８  室内機番号表示
９  室内機番号ＵＰスイッチ
１０  室内機番号ＤＯＷＮスイッチ
１１  送受信回路
【図１】
2010175087.tif 000003
【図２】
2010175087.tif 000004
【図３】
2010175087.tif 000005
【図４】
2010175087.tif 000006